(57)【要約】  前面、背面、側面、天井板及び底面で構成されるコンテナと、底面に対して所定の高さで設置され、床下配線スペースを形成する床と、床上に配置される複数の蓄電池盤と、天井板の近傍に設けられたエアコンと、エアコンからの冷気を床下配線スペースに供給するためのダクトを備え、床下配線スペースからラックの底面を通じて冷気を取り込むようにした電力供給装置である。  選択図：図５
2018230234.tif 000002
【特許請求の範囲】
【請求項１】
前面、背面、側面、天井板及び底面で構成されるコンテナと、  前記底面に対して所定の高さで設置され、床下配線スペースを形成する床と、  前記床上に配置される複数の蓄電池盤と、  前記天井板の近傍に設けられたエアコンと、  前記エアコンからの冷気を前記床下配線スペースに供給するためのダクトを備え、  前記床下配線スペースからラックの底面を通じて冷気を取り込むようにした電力供給装置。
【請求項２】
前記取り込まれた冷気が前記ラックの内部を通過することによって熱せられ、前記ラックの外に排出されるようにした請求項１に記載の電力供給装置。
【請求項３】
前記ラックが箱状のケースを有し、前記ケースの底面に形成された開口を通じて冷気が取り込まれ、前記ケースの少なくとも一面に設けられた通気孔を通じて前記ラックの外に熱気が排出されるようにした請求項２に記載の電力供給装置。
【請求項４】
ファンを前記ラックに設け、前記ファンによって前記ラックの内部の熱気を強制的に排出するようにした請求項３に記載の電力供給装置。
【請求項５】
前記コンテナの天井板の近傍に前記蓄電池盤から排出された空気を前記エアコンに導くためのダクトが設けられた請求項２に記載の電力供給装置。
【請求項６】
前記床下配線スペースに前記冷気が供給される箇所と、前記蓄電池盤の配置場所の距離に応じて前記ラックの内部を通る空気の量を制御してほぼ均一な冷却を行うようにした請求項１に記載の電力供給装置。
【請求項７】
前記蓄電池盤の冷気取り込み用の開口の面積によって前記空気の量を制御するようにした請求項６に記載の電力供給装置。
【請求項８】
前記蓄電池盤の排気孔の開口の面積によって前記空気の量を制御するようにした請求項６に記載の電力供給装置。
【請求項９】
電力負荷を監視して電力負荷を平準化する請求項１に記載の電力供給装置。
【請求項１０】
停電時に、系統電力を切り離して負荷へ電力を供給する請求項１に記載の電力供給装置。
【発明の詳細な説明】
【技術分野】
【０００１】  本技術は、例えばリチウムイオン二次電池を使用した電力供給装置に関する。
【背景技術】
【０００２】  複数の単電池（電池セルとも称される）例えばリチウムイオン二次電池から構成される蓄電池モジュールを多数使用して電力供給装置としての蓄電池システムを構成することが知られている。蓄電池システムは、産業用、電力系統連携用、家庭用に広く用いられている。最近では、大容量、高出力用途の蓄電池モジュールをラック単位でコンテナに配置した大規模システムも普及し始めている。かかる蓄電池システムの一例として、複数の蓄電池モジュールをラック上に搭載し、この蓄電池モジュールが搭載されたラック、交流直流変換装置、制御部等をコンテナ内に収納したものが提案されている。蓄電池システムは、例えば停電時に工場の照明装置等の負荷に電力を供給することができ、また、電力負荷を平準化するために使用することができる。【０００３】  蓄電池システムが大規模化した際の問題点として、複数の蓄電池モジュール、及び複数の蓄電池モジュールをラックに搭載した複数の蓄電池盤の冷却が挙げられる。冷却具合は蓄電池の寿命にも影響を及ぼすため、蓄電池モジュール及び蓄電池盤の寿命という観点では、可能な限り均一な冷却を行う必要がある。また、顧客視点から蓄電池モジュール及び蓄電池盤のそれぞれの寿命がほぼ同じであることが望ましい。【０００４】  従来の技術では、蓄電池盤の天井に排気ファンや、コンテナ内にエア・コンディショナー（以下、エアコンと略す）などを設置して、蓄電池モジュール及び蓄電池盤の冷却を図っていたが、熱の性質上、例えば蓄電池盤内の上部と下部では熱の温度分布の相違が発生し、均一冷却という観点では、かなり技術的困難を抱えていた。【０００５】  また、大型コンテナ蓄電池システムの設置においては、コンテナ内で各盤を接続する電線の引き回しを考慮する必要がある。従来では、天井にラダーを準備してそのラダー上で電線を引き回すという方法が一般的だが、この方法だとコンテナ内天井部において配線引き回し部やエアコン設置部など、レイアウトに制限が生じ、設計の自由度が少ないという問題があった。【０００６】  特許文献１には、大型コンテナ蓄電池システム内の蓄電池盤内の蓄電池を、蓄電池盤の左右もしくは背面に天井部のエアコンと接続されたダクトを通して、冷却風を蓄電池盤内におくり、蓄電池盤の正面の排気孔から熱をもった排気熱を排出する冷却構造が記載されている。
【先行技術文献】
【特許文献】
【０００７】
【特許文献１】特開２０１５−０６０７９８号公報
【発明の概要】
【発明が解決しようとする課題】
【０００８】  特許文献１の構造では下記の問題点がある。  蓄電池盤間や蓄電池盤の背面にダクトを設けることで、本来蓄電池を収納できるスペースが減少し、単位体積当たりの蓄電容量が減少する。  蓄電池盤の左右側面にエアコンとつながったダクトという構造を設けることで、非常に複雑なコンテナレイアウトを設計しなければならない。また、冷却風の流れを考慮しつつ、エアコンの配置や蓄電池盤間、回路部などとの電線の接続レイアウトを綿密に考える必要があり、コンテナレイアウト設計の自由度に大きな制約ができる。  本来の熱の流れ、下から上へという物理現象とは逆方向の強制冷却風の流れとなるので、冷却効率が悪い。【０００９】  したがって、本技術の目的は、これらの問題点を解決することができる電力供給装置を提供することにある。
【課題を解決するための手段】
【００１０】  本技術は、前面、背面、側面、天井板及び底面で構成されるコンテナと、  底面に対して所定の高さで設置され、床下配線スペースを形成する床と、  床上に配置される複数の蓄電池盤と、  天井板の近傍に設けられたエアコンと、  エアコンからの冷気を床下配線スペースに供給するためのダクトを備え、  床下配線スペースからラックの底面を通じて冷気を取り込むようにした電力供給装置である。
【発明の効果】
【００１１】  少なくとも一つの実施形態によれば、本技術は、床下配線スペースとつながっている底面部の開口を蓄電池盤が有する。かかる本技術は、下記の効果を有する。なお、ここに記載された効果は必ずしも限定されるものではなく、本技術中に記載されたいずれかの効果又はそれらと異質な効果であっても良い。  コンテナ内のスペースを有効に活用できることで、コンテナの単位体積当たりの蓄電容量を大きくすることができる。  エアコンや蓄電池盤、回路盤などのコンテナ内レイアウト設計に自由度ができる。  物理現象に則った、効率の良い冷却風の流れを作り出すことができる。
【図面の簡単な説明】
【００１２】
【図１】図１は、本技術の一実施の形態のシステム構成を示すブロック図である。
【図２】図２は、蓄電池システムの一例の接続を示す略線図である。
【図３】図３は、蓄電池システムの他の例の接続を示す略線図である。
【図４】図４は、本技術の一実施の形態の蓄電池盤の構成を示す斜視図である。
【図５】図５は、本技術一実施の形態の構成を説明するためのコンテナ内部構成の斜視図である。
【図６】図６は、本技術の一実施の形態のコンテナの内部構成を示す正面図である。
【図７】図７は、本技術の一実施の形態の床下配線スペースを説明するための斜視図である。
【図８】図８は、コンテナの前側から見た内部の構成を示す側面図である。
【図９】図９は、本技術の一実施の形態のコンテナ内部の空気の流れを示す斜視図である。
【図１０】図１０は、本技術の一実施の形態のコンテナ内部の空気の流れを示す正面図である。
【図１１】図１１は、本技術の一実施の形態のコンテナ内部の空気の流れを示す側面図である。
【図１２】図１２は、本技術の変形例の説明に使用する斜視図である。
【図１３】図１３は、本技術の変形例の説明に使用する空気の流れを示す正面図である。
【図１４】図１４は、本技術の変形例の説明に使用する正面図である。
【図１５】図１５は、本技術の変形例の説明に使用する平面図である。
【図１６】図１６は、本技術の変形例の説明に使用する斜視図である。
【図１７】図１７は、本技術が適用された住宅用の蓄電池システムを示す概略図である。
【発明を実施するための形態】
【００１３】  以下に説明する実施の形態は、本技術の好適な具体例であり、技術的に好ましい種々の限定が付されている。しかしながら、本技術の範囲は、以下の説明において、特に本技術を限定する旨の記載がない限り、これらの実施の形態に限定されないものとする。  なお、本技術の説明は、下記の順序にしたがってなされる。＜１．一実施の形態＞＜２．変形例＞＜３．応用例＞
【００１４】＜１．一実施の形態＞「蓄電池システムの構成」  図１は、本技術の一実施の形態による蓄電池システムの一例の構成を示すブロック図である。図１に示すように、本技術の一実施の形態による蓄電池システムは、複数の蓄電池モジュール例えば１６個の蓄電池モジュールＭ１〜Ｍ１６（個々の蓄電池モジュールを区別する必要がない場合は蓄電池モジュールＭと表記する）及び電池管理ユニット（Battery Management Unit）ＢＭＵからなる蓄電装置と、複数の電池管理ユニットＢＭＵと通信路である通信配線Ｌｃで接続された集線装置（ＢＭＵ ｈｕｂ）ＨＵＢと、交流直流変換装置ＩＮＶ（図面中では、ＰＣＳ（Power Conditioning System）と表記する）と、システムコントローラＳＹＳとを備える。蓄電池モジュールＭに対して共通のコントローラである電池管理ユニットＢＭＵが設けられる。
【００１５】  蓄電池モジュールＭが直列に接続されている。蓄電池モジュールＭの接続形態は適宜、変更できる。例えば、直列に接続された２個の蓄電池モジュールが並列に接続され、８個の並列接続が直列に接続されてもよい。
【００１６】  蓄電池モジュールＭ及び電池管理ユニットＢＭＵが共通のラック上に載置された蓄電装置を蓄電池盤と称する。並列に接続された複数の蓄電池盤ＳＴ１〜ＳＴ１４が、交流直流変換装置ＩＮＶに対して接続されている。なお、個々の蓄電池盤を区別する必要が無い場合は、適宜、蓄電池盤ＳＴと表記する。なお、蓄電池モジュール又は蓄電池盤の数、蓄電池盤の接続形態は、上述したものに限らず、種々設定できる。
【００１７】  蓄電池システムでは、（１６×１４＝２２４）個の蓄電池モジュールＭの電力が直流電力配線（ＤＣ電力バス）を通じて交流直流変換装置ＩＮＶに対して供給され、交流直流変換装置ＩＮＶから外部１に電力を供給する。また、外部１から電力が供給され、交流直流変換装置ＩＮＶを通じて、電力ラインを介して、外部１から蓄電池モジュールＭに対して充電用の電力が供給される。外部１は、負荷、ＡＣ電力系統等であり、蓄電池システムの用途に応じて設定される。例えば工場内の三相３線４００Ｖの電力線である。
【００１８】  交流直流変換装置ＩＮＶでは、蓄電池モジュールＭから供給される直流電力を、交流電力に変換して、外部１に供給する。交流直流変換装置ＩＮＶでは、外部１から供給される交流電力を、直流電力に変換して、蓄電池モジュールＭに供給して蓄電池モジュールＭを充電する。
【００１９】  電力の供給動作と共に、システムコントローラＳＹＳと交流直流変換装置ＩＮＶ及び集線装置ＨＵＢとの間、集線装置ＨＵＢと交流直流変換装置ＩＮＶとの間、集線装置ＨＵＢと電池管理ユニットＢＭＵとの間、電池管理ユニットＢＭＵ間、蓄電池モジュールＭ間で、例えば、ＲＳ−２３２Ｃ(Recommended Standard 232 version C)、ＲＳ−４８５、ＣＡＮ(Controller Area Network)等の規格に準じた通信がなされる。
【００２０】  蓄電池モジュールＭの一例は、外装ケースと、外装ケース内に収容された電池ブロック等とを備えたものである。外装ケースは、例えば、高い伝導率及び輻射率を有する材料を用いることが望ましい。高い伝導率及び輻射率を有する材料を用いることにより、外装ケースにおける優れた放熱性を得ることができる。優れた放熱性を得ることで、外装ケース内の温度上昇を抑制できる。さらに、外装ケースの開口部を最小限にする又は、廃止することができ、高い防塵防滴性を実現できる。外装ケースは、例えば、アルミニウム又はアルミニウム合金、銅、銅合金等の材料が使用される。この外装ケースが充電モジュールＭの接地箇所とされている。
【００２１】  電池ブロックは、例えば、複数（例えば、１６個等）のリチウムイオン二次電池を並列接続したものである。外装ケース内で、例えば、複数の電池ブロックが直列に接続されている。電池ブロックの個数及び接続形態は、適宜、変更できる。また、リチウムイオン二次電池以外の二次電池等の電力貯蔵素子が使用されてもよい。例えば、リチウムイオン二次電池の１個当たりの出力電圧を３．２Ｖとすると、蓄電池モジュール１個あたりの出力電圧は、略５１．２Ｖ（３．２Ｖ×１６）である。すなわち、Ｎ個（Ｎ＝１以上の整数）の蓄電池モジュールＭを備える蓄電池盤ＳＴは、略５１．２×Ｎ（Ｖ）の電圧を供給できる。
【００２２】  複数の蓄電池モジュールＭに対して共通に上位のコントローラである電池管理ユニットＢＭＵが設けられる。電池管理ユニットＢＭＵは、各蓄電池モジュールＭからのデータを収集する。すなわち、各蓄電池モジュールＭの電池部の各電池セルの電圧、ＳＯＣ( State Of Charge：残容量率)、充電電流、放電電流及び電池温度のデータを、通信を介して取得する。蓄電池モジュールＭ及び電池管理ユニットＢＭＵの間で、シリアル通信の規格であるＩ２ＣやＳＭＢｕｓ（System Management Bus）、ＳＰＩ（Serial Peripheral Interface）、ＣＡＮ（Controller Area Network ）等の規格に準じた双方向の通信が行われる。通信は、有線でもよく無線でもよい。
【００２３】  電池管理ユニットＢＭＵが、複数の蓄電池モジュールＭの充電許可又は充電禁止を制御する。例えば、電池管理ユニットＢＭＵは、通信にて、集線装置ＨＵＢから指令を受け、充電許可又は充電禁止を制御する。例えば、電池管理ユニットＢＭＵは、充電許可の判定がされた蓄電池モジュールＭに対して充電許可指令を送信する。充電許可指令を受けた蓄電池モジュールＭが充電スイッチ素子をオンする。但し、電池の過充電等の条件が成立した場合では、充電スイッチ素子をオフする。充電許可指令を受けない蓄電池モジュールＭは、充電スイッチ素子をオフする。
【００２４】  蓄電池モジュールＭは、電池部として複数のリチウムイオン二次電池が直列に接続された電池部を有する。各リチウムイオン二次電池のセルバランス制御がなされる。さらに、電池部の端子間の電圧を検出する電圧検出部、電池部の温度を検出する温度検出部及び電流検出部が備えられる。検出された電圧、温度及び電流がデジタルデータに変換され、電池モニタに供給される。
【００２５】  電池モニタがデジタル電圧データ及びデジタル温度データを監視し、電池の異常の有無を監視する。例えば、デジタル電圧データにより示される電圧が過充電の目安となる電圧、もしくは、過放電の目安となる電圧である場合には、異常がある、又は異常が生じるおそれがあることを示す異常通知信号を生成する。さらに、電池モニタは、電池の温度もしくは蓄電池モジュールＭ全体の温度が閾値より大きい場合も同様に、異常通知信号を生成する。さらに、電池モニタは、デジタル電流データを監視する。デジタル電流データにより示される電流値が閾値より大きい場合に、電池モニタは、異常通知信号を生成する。電池モニタにより生成された異常通知信号は、電池モニタが有する通信機能により、電池管理ユニットＢＭＵに対して送信される。
【００２６】  電池モニタは、上述した異常の有無を監視するとともに、デジタル電圧データ及びデジタル電流データを、通信にて、電池管理ユニットＢＭＵに送信する。さらに電池管理ユニットＢＭＵと集線装置ＨＵＢとが通信を行い、各蓄電池モジュールＭの電圧データ、電流データ、温度データ等を集線装置ＨＵＢに対して送信する。
【００２７】  電池管理ユニットＢＭＵは、ＭＣＵ（Module controller Unit)、充電スイッチ、放電スイッチ等のスイッチを備える。ＭＣＵは、通信機能を有するＣＰＵ(Central Processing Unit )等により構成され、各蓄電池モジュールＭを制御する。電池管理ユニットＢＭＵは、例えば、電池モニタから異常通知信号が供給されると、通信機能を使用して集線装置ＨＵＢに異常を通知する。この通知に応じて、例えば、集線装置ＨＵＢは、通信にて、電池管理ユニットＢＭＵに指令を送り、充電又は放電を停止する等の蓄電池盤ＳＴに対する制御を適宜、実行する。
【００２８】  電池管理ユニットＢＭＵと集線装置ＨＵＢとが、通信配線Ｌｃを介して、互いに接続されている。また、複数の電池管理ユニットＢＭＵ及び蓄電池モジュールＭが通信配線Ｌｃを介して、互いに接続されている。通信配線Ｌｃとしては、ＣＡＮ、ＲＳ２３２Ｃ、ＲＳ４８５等が使用される。
【００２９】  集線装置ＨＵＢは、電池管理ユニットＢＭＵと通信を行って、複数の蓄電池盤ＳＴ（複数の蓄電池モジュールＭ）の状態の監視を行う。また、集線装置ＨＵＢは、複数の蓄電池盤ＳＴ（複数の蓄電池モジュールＭ）の状態の通知を、システムコントローラＳＹＳ、交流直流変換装置ＩＮＶに対して行う。また、集線装置ＨＵＢは、通信にて、システムコントローラＳＹＳ、交流直流変換装置ＩＮＶからの指令を受けて、通信にて、電池管理ユニットＢＭＵに対して指令を与え、電池管理ユニットＢＭＵを制御する。なお、集線装置ＨＵＢに制御機能を持たせて、集線装置ＨＵＢが、複数の蓄電池盤ＳＴ（複数の蓄電池モジュールＭ）の監視及び制御を行ってもよい。
【００３０】  集線装置ＨＵＢには、例えば、蓄電池システムにおける、蓄電池盤ＳＴの直列接続数、並列接続数、蓄電池盤ＳＴの合計接続数、各蓄電池盤の蓄電池モジュールＭの直列接続及び／又は並列接続の数、蓄電池モジュールＭ接続数等の接続情報が保持される。この接続情報は、例えば、作業者（ユーザー）が集線装置ＨＵＢのＵＩ（user interface、図示省略）に対する操作、又は、システムコントローラＳＹＳから集線装置ＨＵＢに対して接続情報を送信する等によって、設定される。
【００３１】  集線装置ＨＵＢに、各蓄電池モジュールＭの現在の電圧、電流、温度等に関する蓄電池モジュール情報が保持されるようにしてもよい。この蓄電池モジュール情報は、例えば集線装置ＨＵＢが電池管理ユニットＢＭＵと通信を行うことにより取得する。
【００３２】  本技術の一実施の形態による蓄電池システムでは、集線装置ＨＵＢが、各電池管理ユニットＢＭＵと通信を行い、各蓄電池盤ＳＴの電圧が、所定電圧（上限電圧より所定電圧低い電圧、又は、下限電圧より所定電圧高い電圧）に達したか、監視される。所定電圧に達した蓄電池盤電力値を、定格の電流値Ｉの１／２又は１／４に低減させるため、集線装置ＨＵＢが、各電池管理ユニットＢＭＵと通信を行い、電流値変更を指示する。集線装置ＨＵＢからの指示を受けた電池管理ユニットＢＭＵは、蓄電池盤ＳＴに流す電流値を変更するように制御する。これにより、電流値が制限される。
【００３３】  上述した本技術の一実施の形態による蓄電池システムでは、外部１に接続されている負荷の電力消費が監視されており、電力負荷が大きくなった場合に、系統電力からの電力に加えて蓄電池モジュールの出力電力を負荷に供給して電力負荷を平準化するようになされる。また、系統に停電が発生した時に、系統電力を切り離し、蓄電池モジュールから負荷に電力を供給するようになされる。
【００３４】「コンテナに収納された蓄電池システムの一例」  上述した蓄電池システムは、コンテナ（例えば４０フィートの長さを有する金属製の箱）に収納される。コンテナは、前面、背面、側面、天井板及び底面で構成される。前面には、人の出入りのための扉（正面扉と適宜称する）が設けられている。コンテナ内には蓄電池盤とともに、交流直流変換装置ＩＮＶ、直流入出力盤等の回路盤が収納されている。蓄電池システムの一例の構成について図２を参照して説明する。
【００３５】  一つの蓄電池盤例えば蓄電池盤ＳＴ１は、金属製のラックに対して電池管理ユニットＢＭＵと（２×８＝１６）個の蓄電池モジュールＭとが収納された構成とされている。複数のラック同士は、機械的且つ電気的に連結可能とされている。他の蓄電池盤ＳＴ２〜ＳＴ１４も蓄電池盤ＳＴ１と同様の構成とされている。蓄電池モジュールＭ１〜Ｍ１６の接地箇所がラックＲ１の棚板に電気的に接続されている。ラックＲ１の接地線１５がコンテナと接続される。コンテナは、接地手段を通じて大地と接続されている。
【００３６】  蓄電池モジュールＭ１〜Ｍ１６が直列接続され、電池管理ユニットＢＭＵに直列接続の＋側及び−側が接続される。電池管理ユニットＢＭＵと交流直流変換装置ＩＮＶの間が直流電力配線Ｌｐによって接続される。さらに、蓄電池モジュールＭ１〜Ｍ１６の通信端子が順次接続され、電池管理ユニットＢＭＵの通信端子に接続される。電池管理ユニットＢＭＵとシステムコントローラＳＹＳの間が通信配線Ｌｃによって接続されている。
【００３７】「コンテナに収納された蓄電池システムの他の例」  図３に蓄電池盤ＳＴ１の他の例を示す。他の蓄電池盤ＳＴ２〜ＳＴ１４も蓄電池盤ＳＴ１と同様の構成とされている。各蓄電池盤ＳＴの蓄電池モジュールＭがラックの棚板に載置されると共に、蓄電池モジュールＭ１〜Ｍ１６の接地箇所が棚板と電気的に接続される。ラックＲ１の１６個の棚板がアース線Ｌｅ１に接続される。
【００３８】  蓄電池盤ＳＴ１〜ＳＴ７のそれぞれから導出されたアース線が１本のアース線に変換され、蓄電池盤ＳＴ８〜ＳＴ１４のそれぞれから導出されたアース線が１本のアース線に変換される。これらのアース線は、コンテナの外部に導出され、コンテナの外部において大地に接続される。したがって、ラックＲ１、交流直流変換装置ＩＮＶ及び直流入出力盤の接地箇所がコンテナ外の大地（同電位）に共通接続されることになる。
【００３９】  蓄電池モジュールＭ１〜Ｍ１６が直列接続され、電池管理ユニットＢＭＵに直列接続の＋側及び−側が接続される。電池管理ユニットＢＭＵと交流直流変換装置ＩＮＶの間が直流電力配線Ｌｐによって接続される。さらに、蓄電池モジュールＭ１〜Ｍ１６の通信端子が順次接続され、電池管理ユニットＢＭＵの通信端子に接続される。電池管理ユニットＢＭＵとシステムコントローラＳＹＳの間が通信配線Ｌｃによって接続されている。
【００４０】  上述した他の構成では、コンテナとラックＲ１が絶縁され、ラックＲ１がアース線を通じてコンテナ１１の外部の大地と接続される。したがって、ノイズの発生源となる交流直流変換装置ＩＮＶと独立して接地を行うことができるので、接地を通じてノイズが蓄電池モジュールＭに伝搬し、ノイズによって制御通信が影響を受けて誤動作するおそれを防止することができる。特に、蓄電池盤毎にアース線を独立に設けることによって蓄電池盤間のノイズの伝搬を抑えることができる。また、蓄電池モジュールＭの接地箇所がラックＲ１を通じてコンテナの外部の大地に接続されるので、浮遊容量の発生を防止することができ、誤って蓄電池モジュールに接触しても感電を防止することができる。
【００４１】「蓄電池盤の構成」  図４は、蓄電池盤例えば蓄電池盤ＳＴ１の構成を示す。以下の説明では、横方向に３列、縦方向に７列の（３×７＝２１）個の蓄電池モジュールＭ１〜Ｍ２１及び電池管理ユニットＢＭＵ１が蓄電池盤ＳＴ１のラックＲ１に載置されている。ラックＲ１は、正面扉２及び天井板３を含むケースに複数の棚が設置されたものである。天井板３には、空気の通過孔が形成されている。
【００４２】  ラックＲ１の底面には、開口４が設けられ、開口４を通じて下側にケーブルが引き出されている。以下の説明における蓄電池盤ＳＴは、横方向に３列、縦方向に７列の（３×７＝２１）個の蓄電池モジュールがラックＲ１〜Ｒ１１のそれぞれに載置された構成を有する。他の蓄電池盤ＳＴ２〜ＳＴ１１も蓄電池盤ＳＴ１と同様の構成とされ、回路盤例えば直流入出力盤ＤＣも同様にラックに載置されている。なお、個々のラックを区別する必要が無い場合は、適宜、ラックＲと表記する。なお、ラックとしては、ケースを有しないで棚のみからなる構成も可能である。
【００４３】「コンテナ内部の構成」  コンテナ１１内部の配置について説明する。図５に示すように、コンテナ１１の中央の通路を挟んで一方の側に蓄電池盤ＳＴ１〜ＳＴ６が整列して床ＦＬ上に配置され、他方の側の床ＦＬ上に蓄電池盤ＳＴ７〜ＳＴ１１が整列して配置されている。さらに、蓄電池盤ＳＴ１１に隣接して直流入出力盤ＤＣが配置されている。図５には示されていないが，コンテナ１１内には、交流直流変換装置ＩＮＶなどの回路盤が設けられている。図５では、コンテナ１１の前面（正面扉）、天井板、一方の側面が省略されている。また、図６は、蓄電池システムの前後方向（通路の延長方向）に延びる分割線でコンテナ１１を２分割して内部を示すものである。
【００４４】  図７及び図８に示すように、コンテナ１１の底面１２と床ＦＬの間に形成されている所定高さの隙間が床下配線スペースとされる。各蓄電池盤及び直流入出力盤ＤＣが載置されている床ＦＬには開口がそれぞれ形成されている。この開口が床下配線スペースに通じている。この開口を通じて各蓄電池盤及び直流入出力盤ＤＣのケーブルが床下配線スペースに引き込まれる。
【００４５】  図７に示すように、床下配線スペースは、仕切り壁によって前後方向に延びる中央のエリアとその左右のエリアからなる３個のエリアに区画されている。左右のエリアの床ＦＬ上に、蓄電池盤ＳＴ１〜ＳＴ６及び蓄電池盤ＳＴ７〜ＳＴ１１、直流入出力盤ＤＣが設置される。蓄電池盤ＳＴ１〜ＳＴ６の直下に位置する床下配線スペースに対してＳＰ１〜ＳＰ６の参照符号を付し、蓄電池盤ＳＴ７〜ＳＴ１１、直流入出力盤ＤＣの直下に位置する床下配線スペースに対してＳＰ７〜ＳＰ１２の参照符号を付す。
【００４６】  床下配線スペースＳＰ１〜ＳＰ１２を形成するための仕切り壁には、ケーブル及び空気を通すための開口が形成されている。したがって、開口を通じてケーブルを引き回すとともに、冷却された空気を流通させることができる。
【００４７】  図８は、コンテナ１１の前面側から見た側面図である。床下配線スペースＳＰ１及び床下配線スペースＳＰ１２の間の区切り壁に孔が形成され、ケーブルが孔を通じて配線される。蓄電池盤ＳＴ１のラックＲ１及び直流入出力盤ＤＣのラックＲ１２がそれぞれ位置する床ＦＬに対して開口（図示せず）が形成されている。この開口を通じてケーブルが配線されるとともに、空気が流通可能とされている。
【００４８】  コンテナ１１の前面及び背面の天井の近くにエアコン１３ａ及び１３ｂが設けられている。エアコン１３ａ及び１３ｂの空気の出入り口に対してエアコン近傍のダクトに接続される。前面側のエアコン１３ａと背面側のエアコン１３ｂの間に天井にそって前後方向に平行して延びるダクト１４ａ及び１４ｂが設けられる。ダクト１４ａが蓄電池盤ＳＴ１（ラックＲ１）から蓄電池盤ＳＴ６（ラックＲ６）の上方に配され、ダクト１４ｂが蓄電池盤ＳＴ７（ラックＲ７）から直流入出力盤ＤＣの上方に配されている。ダクト１４ａ及び１４ｂの例えば底面に通気孔が形成されている。通気孔は、底面以外に形成してもよい。
【００４９】  さらに、コンテナ１１の内部の四隅に上下に延長する４本のダクト１５ａ，１５ｂ，１５ｃ，１５ｄが設けられている。ダクト１５ａ〜１５ｄは、上端がエアコン１３ａ及び１３ｂのそれぞれの近傍と接続され、下端が床下配線スペースと接続されたものである。ダクト１５ａ〜１５ｄは、例えば通気孔が形成されていない角パイプ状のものである。さらに、コンテナ１１の天井部には、照明装置１６ａ，１６ｂ及び火災・煙報知機１７ａ，１７ｂが設置されている。
【００５０】「一実施の形態の冷却効果」  上述した一実施の形態における空気のながれを図９、図１０及び図１１における矢印で示す。斜線の入った矢印がエアコン１３ａ及び１３ｂにより冷やされた空気（冷気と適宜称する）を表し、斜線の入っていない矢印が温かい又は暑い空気（熱気と適宜称する）を表す。
【００５１】  エアコン１３ａ及び１３ｂからの冷気の風がダクト１５ａ〜１５ｄを通って下方の床下配線スペースに供給される。床ＦＬに形成された開口、並びに各蓄電池盤及び各回路盤の底面の開口を通じて冷気が各蓄電池盤及び各回路盤のラック内に供給される。各蓄電池盤及び各回路盤の発熱によって熱気が発生する。熱気は、各蓄電池盤及び各回路盤のラック内部を下から上に向かって流れ、天井板の排気孔から上方に排気される。
【００５２】  上方に排気された熱気がダクト１４ａ及び１４ｂを通じてエアコン１３ａ及び１３ｂに回収され、エアコン１３ａ及び１３ｂによって冷却される。エアコン１３ａ及び１３ｂからの冷気が上述した経路でもって各蓄電池盤及び回路盤に対して供給される。このような空気の流れでもって蓄電池システムの冷却がなされる。
【００５３】  一実施の形態では、床下配線スペースに入れられた冷気が盤内の温度分布による自然対流によって、盤内に取り入れられ、盤内の蓄電池モジュール及び回路部を冷却する。蓄電池盤を冷却し、熱を持った空気は、ラックの排気孔により外へ排出され、エアコン１３ａ、１３ｂにより、再度冷却される。このような冷却循環構造を実現することができる。
【００５４】＜２．変形例＞  図１２に示すように、例えば蓄電池盤ＳＴ１の天井板３に対して排気用ファン１８を設け、蓄電池盤ＳＴ１内を下から上に流れる空気の流れを強制的に形成するようにしてもよい。
【００５５】  また、図１３に示すように、各蓄電池盤のラックの正面扉２1，２2，２3，・・・に排気窓１９1，１９2，１９3，・・・を形成してもよい。この場合、図１３に示すように、エアコン１３ａ、１３ｂ又はダクト１５ａ〜１５ｄと蓄電池盤間の距離によって冷気の量を変えるようにしてもよい。すなわち、距離が小さい場合には、冷気の温度が低いので、冷気の量を少なくし、距離が大きい場合には、冷気の温度が高くなっているので、冷気の量を多くする。図１３の例では、正面扉２1，２2，２3，・・・に形成されている排気窓１９1，１９2，１９3，・・・の大きさ（排気口の開口の面積）を変えて冷気の量を制御している。排気窓が大きいほど、ラック内を通る冷気の量が多くなる。
【００５６】  図１４に示すように、排気孔として開口の代わりにパンチング孔を形成した正面扉２Ａ，２Ｂ，２Ｃを使用できる。正面扉２Ａから正面扉２Ｂ，正面扉２Ｃの順にパンチング孔の個数が増加し、排気量も増加し、流れる冷気の量を増加させることができる。
【００５７】  図１５に示すように、ラックの天井板３Ａ，３Ｂ及び３Ｃに形成したパンチング孔を排気孔として使用してもよい。天井板３Ａ，３Ｂ及び３Ｃの順にパンチング孔の個数が増加し、排気量も増加する。なお、上述した排気用ファンの回転数を制御して排気量を制御してもよい。
【００５８】  図１６に示すように、ラックＲの底面の開口４Ａ，４Ｂ及び４Ｃの大きさを変えるようにしてもよい。開口４Ａ，４Ｂ及び４Ｃの順に開口面積が増加し、排気量も増加する。このように、冷気の量を制御することによって、各蓄電池盤及び回路盤間で均一な冷却が可能となる。
【００５９】  さらに、コンテナ１１内に並べて配置された蓄電池盤を、エアコン１３ａ及び１３ｂからの距離にかかわらず均一に冷却するためのラック通気孔は、正面扉にあっても良いし、ラック側面、背面パネルにあっても良いし、天井部にあっても良いし、もしくはそれぞれの組み合わせ状態でも良い。また、機能が満たせるのであれば、ラック底部の開口部の面積を変えることでも問題ない。
【００６０】  以上、本技術の一実施の形態について具体的に説明したが、本技術は、上述の一実施の形態に限定されるものではなく、本技術の技術的思想に基づく各種の変形が可能である。例えばエアコンの設置位置は、前面及び背面の近傍の必要はなく、また、２台に限られることはない。さらに、エアコンによる冷気を床下配線スペースに供給する箇所は４隅に限られない。また、上述の実施形態において挙げた構成、方法、工程、形状、材料及び数値などはあくまでも例に過ぎず、必要に応じてこれと異なる構成、方法、工程、形状、材料及び数値などを用いてもよい。
【００６１】＜３．応用例＞「応用例としての住宅における蓄電池システム」  本技術を住宅用の蓄電池システムに適用した例について、図１７を参照して説明する。例えば住宅９００１用の蓄電池システム９１００においては、火力発電９００２ａ、原子力発電９００２ｂ、水力発電９００２ｃ等の集中型電力系統９００２から電力網９００９、情報網９０１２、スマートメータ９００７、パワーハブ９００８等を介し、電力が蓄電装置９００３に供給される。これと共に、家庭内発電装置９００４等の独立電源から電力が蓄電装置９００３に供給される。蓄電装置９００３に供給された電力が蓄電される。蓄電装置９００３を使用して、住宅９００１で使用する電力が給電される。住宅９００１に限らずビルに関しても同様の蓄電池システムを使用できる。
【００６２】  住宅９００１には、発電装置９００４、電力消費装置９００５、蓄電装置９００３、各装置を制御する制御装置９０１０、スマートメータ９００７、各種情報を取得するセンサー９０１１が設けられている。各装置は、電力網９００９及び情報網９０１２によって接続されている。発電装置９００４として、太陽電池、燃料電池等が利用され、発電した電力が電力消費装置９００５及び／又は蓄電装置９００３に供給される。電力消費装置９００５は、冷蔵庫９００５ａ、空調装置９００５ｂ、テレビジョン受信機９００５ｃ、風呂９００５ｄ等である。さらに、電力消費装置９００５には、電動車両９００６が含まれる。電動車両９００６は、電気自動車９００６ａ、ハイブリッドカー９００６ｂ、電気バイク９００６ｃである。
【００６３】  蓄電装置９００３に対して、上述した本技術のバッテリユニットが適用される。蓄電装置９００３は、二次電池又はキャパシタから構成されている。例えば、リチウムイオン電池によって構成されている。リチウムイオン電池は、定置型であっても、電動車両９００６で使用されるものでも良い。スマートメータ９００７は、商用電力の使用量を測定し、測定された使用量を、電力会社に送信する機能を備えている。電力網９００９は、直流給電、交流給電、非接触給電の何れか一つ又は複数を組み合わせても良い。
【００６４】  各種のセンサー９０１１は、例えば人感センサー、照度センサー、物体検知センサー、消費電力センサー、振動センサー、接触センサー、温度センサー、赤外線センサー等である。各種センサー９０１１により取得された情報は、制御装置９０１０に送信される。センサー９０１１からの情報によって、気象の状態、人の状態等が把握されて電力消費装置９００５を自動的に制御してエネルギー消費を最小とすることができる。さらに、制御装置９０１０は、住宅９００１に関する情報をインターネットを介して外部の電力会社等に送信することができる。
【００６５】  パワーハブ９００８によって、電力線の分岐、直流交流変換等の処理がなされる。制御装置９０１０と接続される情報網９０１２の通信方式としては、ＵＡＲＴ(Universal synchronous Receiver-Transmitter:非同期シリアル通信用送受信回路）等の通信インターフェースを使う方法、Ｂｌｕｅｔｏｏｔｈ（登録商標）、ＺｉｇＢｅｅ、Ｗｉ−Ｆｉ等の無線通信規格によるセンサーネットワークを利用する方法がある。Ｂｌｕｅｔｏｏｔｈ（登録商標）方式は、マルチメディア通信に適用され、一対多接続の通信を行うことができる。ＺｉｇＢｅｅは、ＩＥＥＥ(Institute of Electrical and Electronics Engineers) ８０２．１５．４の物理層を使用するものである。ＩＥＥＥ８０２．１５．４は、ＰＡＮ(Personal Area Network) 又はＷ(Wireless)ＰＡＮと呼ばれる短距離無線ネットワーク規格の名称である。
【００６６】  制御装置９０１０は、外部のサーバ９０１３と接続されている。このサーバ９０１３は、住宅９００１、電力会社、サービスプロバイダーの何れかによって管理されていても良い。サーバ９０１３が送受信する情報は、たとえば、消費電力情報、生活パターン情報、電力料金、天気情報、天災情報、電力取引に関する情報である。これらの情報は、家庭内の電力消費装置（たとえばテレビジョン受信機）から送受信しても良いが、家庭外の装置（たとえば、携帯電話機等）から送受信しても良い。これらの情報は、表示機能を持つ機器、たとえば、テレビジョン受信機、携帯電話機、ＰＤＡ(Personal Digital Assistants)等に、表示されても良い。
【００６７】  各部を制御する制御装置９０１０は、ＣＰＵ（Central Processing Unit ）、ＲＡＭ（Random Access Memory）、ＲＯＭ（Read Only Memory）等で構成され、この例では、蓄電装置９００３に格納されている。制御装置９０１０は、蓄電装置９００３、家庭内発電装置９００４、電力消費装置９００５、各種センサー９０１１、サーバ９０１３と情報網９０１２により接続され、例えば、商用電力の使用量と、発電量とを調整する機能を有している。なお、その他にも、電力市場で電力取引を行う機能等を備えていても良い。
【００６８】  以上のように、電力が火力９００２ａ、原子力９００２ｂ、水力９００２ｃ等の集中型電力系統９００２のみならず、家庭内発電装置９００４（太陽光発電、風力発電）の発電電力を蓄電装置９００３に蓄えることができる。したがって、家庭内発電装置９００４の発電電力が変動しても、外部に送出する電力量を一定にしたり、又は、必要なだけ放電するといった制御を行うことができる。例えば、太陽光発電で得られた電力を蓄電装置９００３に蓄えると共に、夜間は料金が安い深夜電力を蓄電装置９００３に蓄え、昼間の料金が高い時間帯に蓄電装置９００３によって蓄電した電力を放電して利用するといった使い方もできる。
【００６９】  なお、この例では、制御装置９０１０が蓄電装置９００３内に格納される例を説明したが、スマートメータ９００７内に格納されても良いし、単独で構成されていても良い。さらに、蓄電池システム９１００は、集合住宅における複数の家庭を対象として用いられてもよいし、複数の戸建て住宅を対象として用いられてもよい。
【００７０】  以上、本技術に係る技術が適用され得る蓄電池システム９１００の一例について説明した。本技術に係る技術は、以上説明した構成のうち、蓄電装置９００３に好適に適用され得る。但し、本技術は直流電力を供給するものであるので、家庭用の交流機器に対しては、直流電力を交流電力に変換して供給する必要がある。
【符号の説明】
【００７１】１・・・外部、１１・・・コンテナ、１２・・・底面、１３ａ，１３ｂ・・・エアコン、１４ａ，１４ｂ・・・ダクト、１５ａ，１５ｂ，１５ｃ，１５ｄ・・・ダクト、Ｒ・・・ラック、ＤＣ・・・直流入出力盤、Ｍ，Ｍ１〜Ｍ１６・・・蓄電池モジュール、ＢＭＵ・・・電池管理ユニット、ＨＵＢ・・・集線装置、ＩＮＶ・・・交流直流変換装置、ＳＴ・・・蓄電池盤、ＳＰ・・・床下配線スペース、ＳＹＳ・・・システムコントローラ
【図１】
2018230234.tif 000003
【図２】
2018230234.tif 000004
【図３】
2018230234.tif 000005
【図４】
2018230234.tif 000006
【図５】
2018230234.tif 000007
【図６】
2018230234.tif 000008
【図７】
2018230234.tif 000009
【図８】
2018230234.tif 000010
【図９】
2018230234.tif 000011
【図１０】
2018230234.tif 000012
【図１１】
2018230234.tif 000013
【図１２】
2018230234.tif 000014
【図１３】
2018230234.tif 000015
【図１４】
2018230234.tif 000016
【図１５】
2018230234.tif 000017
【図１６】
2018230234.tif 000018
【図１７】
2018230234.tif 000019
【国際調査報告】
2018230234.tif 000020
2018230234.tif 000021
2018230234.tif 000022
2018230234.tif 000023